(57)【要約】【課題】金属テープの破れが無く、金属テープの確実な貼着ができて、シールド効果の良好な高周波機器を提供する。【解決手段】本発明の高周波機器において、金属テープ９は、切り込み部９ａによって互いに分離可能となった第１，第２の分離貼付部９ｂ、９ｃと、この第１，第２の分離貼付部９ｂ、９ｃ同士を繋ぐ連結貼付部９ｄと、切り込み部９ａの先端部に設けられた孔９ｅとを有して、金属テープ９は、第１，第２の分離貼付部９ｂ、９ｃが連結貼付部９ｄに対して直立状態に折り曲げ可能となし、第１，第２の分離貼付部９ｂ、９ｃがシールドカバー５の隣り合う側壁５ａのそれぞれに貼着されると共に、連結貼付部９ｄが回路基板２上、或いは、シールドカバー５の近傍で、筺体１内に配設されたシールド枠体１０の上面に貼着されたため、切り込み部９ａの先端部には引っ張り力がからず、孔９ｅが逃げとなり、切り込み部９ａの先端部が破けることがなくなる。【選択図】        図３
2004247814.tif 000002
【特許請求の範囲】
【請求項１】
回路基板を取り付けた筺体と、この筺体内に位置し、前記回路基板に取り付けられた箱形のシールドカバーと、このシールドカバーに貼着された金属テープとを備え、前記金属テープは、切り込み部によって互いに分離可能となった第１，第２の分離貼付部と、この第１，第２の分離貼付部同士を繋ぐ連結貼付部と、前記切り込み部の先端部に設けられた孔とを有して、前記金属テープは、前記第１，第２の分離貼付部が前記連結貼付部に対して直立状態に折り曲げ可能となし、前記第１，第２の分離貼付部が前記シールドカバーの隣り合う側壁のそれぞれに貼着されると共に、前記連結貼付部が前記回路基板上、或いは、前記シールドカバーの近傍で、前記筺体内に配設されたシールド枠体の上面に貼着されたことを特徴とする高周波機器。
【請求項２】
前記第１，第２の分離貼付部は、前記孔の位置で折り曲げられたことを特徴とする請求項１記載の高周波機器。
【請求項３】
前記孔が丸型、或いは楕円型で形成されたことを特徴とする請求項１、又は２記載の高周波機器。
【請求項４】
前記連結貼付部と前記第１，第２の分離貼付部との間の折り曲げ部には、折り曲げを容易にするための折り曲げ誘導部を設けたことを特徴とする請求項１から３の何れかに記載の高周波機器。
【請求項５】
前記シールドカバーは、前記側壁の端部を塞ぐ上壁を有し、前記分離貼付部が前記上壁と前記側壁との間に位置する隙間、又は／及び前記側壁に存在する孔部を塞ぐようにしたことを特徴とする請求項１から４の何れかに記載の高周波機器。
【請求項６】
前記連結貼付部が前記シールド枠体の上壁部に設けられた孔部、又は／及び切り欠き部を塞ぐように、前記上壁部に貼着されたことを特徴とする請求項１から５の何れかに記載の高周波機器。
【請求項７】
前記連結貼付部が前記筺体にわたって貼着されたことを特徴とする請求項１から６の何れかに記載の高周波機器。
【請求項８】
前記シールドカバーは、衛星放送受信用コンバータのショートキャップで構成されたことを特徴とする請求項１から７の何れかに記載の高周波機器。
【発明の詳細な説明】
【０００１】
【発明の属する技術分野】
本発明は衛星放送受信用コンバータ等に適用して好適な高周波機器に関する。
【０００２】
【従来の技術】
従来の高周波機器の図面を説明すると、図６は従来の高周波機器の要部の分解斜視図、図７は従来の高周波機器に係る要部の斜視図、図８は従来の高周波機器に係るシールドテープの平面図である。
【０００３】
次に、従来の高周波機器の構成を、衛星放送受信用コンバータに適用した場合を例にして、図６に基づいて説明すると、筺体５１は、ブリキ等からなる金属板が打ち抜きや折り曲げ加工して形成され、上下が開放された状態で、四方を囲む壁部５１ａが設けられている。
【０００４】
プリント基板からなる回路基板５２は、下面のほぼ全面に設けられたシールド用の接地パターン５３と、ここのでは図示しないが、上面に設けられた配線パターンには、種々の電子部品が実装されて、所望の受信回路が形成されている。
【０００５】
この回路基板５２は、電子部品が筺体５１内に位置した状態で、筺体５１の下方の開放部を塞ぐように筺体５１に取り付けられる。
これによって、筺体５１の下方の開放部は、接地パターン５３によって電気的にシールドされた構成となっている。
【０００６】
筒状の導波管部５４は、筺体５１と一体の金属板が折り曲げ加工されて形成され、この導波管部５４は、回路基板５２に対して直立状態で、外方に突出して配置されている。
そして、この導波管部５４から衛星電波が導入されるようになっている。
【０００７】
箱状のシールドカバー５５は、筺体５１と一体の金属板が折り曲げ加工されて形成され、四方を囲む側壁５５ａと、側壁５５ａの一端部を塞ぐ上壁５５ｂを有し、側壁５５ａの他端部は開放部となっている。
このシールドカバー５５は、導波管部５４の空洞部と対向し、短絡壁を構成するショートキャップで形成されている。
【０００８】
そして、シールドカバー５５は、筺体５１内に位置し、側壁５５ａが回路基板５２に直立した状態で、回路基板５２に取り付けられている。
また、金属板からなる蓋体５６は、筺体５１の上方の開放部を塞ぐように筺体５１に取り付けられている。（例えば、特許文献１参照）
【０００９】
しかし、このようなシールドカバー５５は、その加工の際、図７に示すように、側壁５５ａと上壁５５ｂとの間に隙間５５ｃが生じたり、或いは、ここでは図示しないが、側壁５５ａに孔部が設けられたりしている。
【００１０】
そして、シールドカバー５５に隙間５５ｃや孔部が存在すると、この隙間５５ｃや孔部から電波が漏洩して、周囲の電気回路に悪影響を与えるため、金属テープ５９によって、隙間５５ｃや孔部を塞ぐようになっている。
【００１１】
図８は従来の高周波機器に使用されるシールドテープ５７を示し、このシールドテープ５７は、紙テープ５８と、一面側に粘着剤（図示せず）が設けられて、紙テープ５８上に貼着された金属テープ５９とで構成されている。
【００１２】
そして、金属テープ５９は、略四角状の銅やアルミ等の箔材で構成され、斜め状態に設けられた切り込み部５９ａと、この切り込み部５９ａの左右に位置し、切り込み部５９ａを境にして互いに分離可能な第１，第２の分離貼付部５９ｂ、５９ｃと、第１，第２の分離貼付部５９ｂ、５９ｃを繋ぐ連結貼付部５９ｄで構成されている。
【００１３】
この金属テープ５９は、紙テープ５８から剥がされ、図８の折り曲げ線Ａ１に沿って、切り込み部５９ａの先端部を基準として、連結貼付部５９ｄに対して直立状態に第１，第２の分離貼付部５９ｂ、５９ｃを折り曲げた状態で、図７の点線で示すように、先ず、折り曲げ線Ａ１をシールドカバー５５の根本部に位置させて、連結貼付部５９ｄが回路基板５２上に貼着される。
【００１４】
次に、第１の分離貼付部５９ｂの先端部を引っ張りながら第１の分離貼付部５９ｂを一つの側壁５５ａに貼着した後、第１の分離貼付部５９ｂの先端部を折り曲げ線Ａ２で折り曲げて、この先端部を上壁５５ｂに貼着すると、隙間５５ｃや孔部が塞がれる。
【００１５】
しかる後、第２の分離貼付部５９ｃの先端部を引っ張りながら第２の分離貼付部５９ｃが第１の分離貼付部５９ｂを貼着した側壁５５ａに隣り合う一つの側壁５５ａに貼着すると、金属テープ５９の貼着が完了する。
【００１６】
そして、第２の分離貼付部５９ｃが側壁５５ａに貼着されると共に、連結貼付部５９ｄが回路基板５２に貼着されることによって、金属テープ５９の貼付面積を大きくして、金属テープ５９の剥がれを防止するものである。
しかし、金属テープ５９の貼着の際、第１，第２の分離貼付部５９ｂ、５９ｃは、貼着を良好にするために引っ張られるが、この時、切り込み部５９ａの先端部に引っ張り力がかかり、先端部が破ける事態が生じた。
【００１７】
【特許文献１】
特開２００１−１１１２５６号公報
【００１８】
【発明が解決しようとする課題】
従来の高周波機器において、金属テープ５９には、第１，第２の分離貼付部５９ｂ、５９ｃを分離可能にするために、単に切り込み部５９ａが設けられたものであるため、金属テープ５９の貼着の際における第１，第２の分離貼付部５９ｂ、５９ｃの引っ張り時、切り込み部５９ａの先端部に引っ張り力がかかり、先端部が破けるという問題がある。
【００１９】
そこで、本発明は金属テープの破れが無く、金属テープの確実な貼着ができて、シールド効果の良好な高周波機器を提供することを目的とする。
【００２０】
【課題を解決するための手段】
上記課題を解決するための第１の解決手段として、回路基板を取り付けた筺体と、この筺体内に位置し、前記回路基板に取り付けられた箱形のシールドカバーと、このシールドカバーに貼着された金属テープとを備え、前記金属テープは、切り込み部によって互いに分離可能となった第１，第２の分離貼付部と、この第１，第２の分離貼付部同士を繋ぐ連結貼付部と、前記切り込み部の先端部に設けられた孔とを有して、前記金属テープは、前記第１，第２の分離貼付部が前記連結貼付部に対して直立状態に折り曲げ可能となし、前記第１，第２の分離貼付部が前記シールドカバーの隣り合う側壁のそれぞれに貼着されると共に、前記連結貼付部が前記回路基板上、或いは、前記シールドカバーの近傍で、前記筺体内に配設されたシールド枠体の上面に貼着された構成とした。
【００２１】
また、第２の解決手段として、前記第１，第２の分離貼付部は、前記孔の位置で折り曲げられた構成とした。
また、第３の解決手段として、前記孔が丸型、或いは楕円型で形成された。
また、第４の解決手段として、前記連結貼付部と前記第１，第２の分離貼付部との間の折り曲げ部には、折り曲げを容易にするための折り曲げ誘導部を設けた構成とした。
【００２２】
また、第５の解決手段として、前記シールドカバーは、前記側壁の端部を塞ぐ上壁を有し、前記分離貼付部が前記上壁と前記側壁との間に位置する隙間、又は／及び前記側壁に存在する孔部を塞ぐようにした構成とした。
【００２３】
また、第６の解決手段として、前記連結貼付部が前記シールド枠体の上壁部に設けられた孔部、又は／及び切り欠き部を塞ぐように、前記上壁部に貼着された構成とした。
また、第７の解決手段として、前記連結貼付部が前記筺体にわたって貼着された構成とした。
また、第８の解決手段として、前記シールドカバーは、衛星放送受信用コンバータのショートキャップで構成された。
【００２４】
【発明の実施の形態】
本発明の高周波機器の図面を説明すると、図１は本発明の高周波機器の要部の分解斜視図、図２は本発明の高周波機器の要部の断面図、図３は本発明の高周波機器に係る要部の斜視図、図４は本発明の高周波機器に係るシールドテープの平面図、図５は本発明の高周波機器の他の実施例に係り、一部を切り欠きした要部の斜視図である。
【００２５】
次に、本発明の高周波機器の構成を、衛星放送受信用コンバータに適用した場合を例にして、図１〜図４に基づいて説明すると、筺体１は、ブリキ等からなる金属板が打ち抜きや折り曲げ加工して形成され、上下が開放された状態で、四方を囲む壁部１ａが設けられている。
【００２６】
プリント基板からなる回路基板２は、下面のほぼ全面に設けられたシールド用の接地パターン３と、ここのでは図示しないが、上面に設けられた配線パターンには、種々の電子部品が実装されて、所望の受信回路が形成されている。
【００２７】
この回路基板２は、電子部品が筺体１内に位置した状態で、筺体１の下方の開放部を塞ぐように筺体１に取り付けられる。
これによって、筺体１の下方の開放部は、接地パターン３によって電気的にシールドされた構成となっている。
【００２８】
筒状の導波管部４は、筺体１と一体の金属板が折り曲げ加工されて形成され、この導波管部４は、回路基板２に対して直立状態で、外方に突出して配置されている。
そして、この導波管部４から衛星電波が導入されるようになっている。
【００２９】
箱状のシールドカバー５は、筺体１と一体の金属板が折り曲げ加工されて形成され、四方を囲む側壁５ａと、側壁５ａの一端部を塞ぐ上壁５ｂを有し、側壁５ａの他端部は開放部となっている。
また、このシールドカバー５は、導波管部４の空洞部と対向し、短絡壁を構成するショートキャップで形成されている。
【００３０】
そして、シールドカバー５は、筺体１内に位置し、側壁５ａが回路基板２に直立した状態で、回路基板２に取り付けられている。
また、金属板からなる蓋体６は、筺体１の上方の開放部を塞ぐように筺体１に取り付けられている。
【００３１】
しかし、このようなシールドカバー５は、その加工の際、図１，図３に示すように、側壁５ａと上壁５ｂとの間に隙間５ｃが生じたり、或いは、ここでは図示しないが、側壁５ａに孔部が設けられたりしている。
【００３２】
そして、シールドカバー５に隙間５ｃや孔部が存在すると、この隙間５ｃや孔部から電波が漏洩して、周囲の電気回路に悪影響を与えるため、金属テープ９によって、隙間５ｃや孔部を塞ぐようになっている。
【００３３】
図４は本発明の高周波機器に使用されるシールドテープ７を示し、このシールドテープ７は、紙テープ８と、一面側に粘着剤（図示せず）が設けられて、紙テープ８上に貼着された金属テープ９とで構成されている。
【００３４】
そして、金属テープ９は、略四角状の銅やアルミ等の箔材で構成され、斜め状態に設けられた切り込み部９ａと、この切り込み部９ａの左右に位置し、切り込み部９ａを境にして互いに分離可能な第１，第２の分離貼付部９ｂ、９ｃと、第１，第２の分離貼付部９ｂ、９ｃを繋ぐ連結貼付部９ｄと、切り込み部９ａの先端部に設けられた孔９ｅとで構成されている。
【００３５】
なお、孔９ｅの形状は、円形、楕円形、或いはその他の形状でも良く、特に、円弧状をなした周縁を持つ円形や楕円形だと、応力集中が少なく有効である。
【００３６】
この金属テープ９は、紙テープ８から剥がされ、図４の折り曲げ線Ａ１に沿って、切り込み部９ａの先端部、或いは孔９ｅを基準として、連結貼付部９ｄに対して直立状態に第１，第２の分離貼付部９ｂ、９ｃを折り曲げた状態で、図３の点線で示すように、先ず、折り曲げ線Ａ１をシールドカバー５の根本部に位置させて、連結貼付部９ｄが回路基板２上に貼着される。
【００３７】
なお、ここでは図示しないが、折り曲げ線Ａ１，Ａ２には、ミシン目、切り込み、或いは凹み等の折り曲げを誘導するための折り曲げ誘導部が設けられて、所定の位置（折り曲げ誘導部の位置）で折り曲げが容易に行えるようにしている。
【００３８】
次に、第１の分離貼付部９ｂの先端部を引っ張りながら第１の分離貼付部９ｂを一つの側壁５ａに貼着した後、第１の分離貼付部９ｂの先端部を折り曲げ線Ａ２で折り曲げて、この先端部を上壁５ｂに貼着すると、隙間５ｃや孔部が塞がれる。
【００３９】
しかる後、第２の分離貼付部９ｃの先端部を引っ張りながら第２の分離貼付部９ｃが第１の分離貼付部９ｂを貼着した側壁５ａに隣り合う一つの側壁５ａに貼着すると、金属テープ９の貼着が完了する。
【００４０】
そして、第２の分離貼付部９ｃが側壁５ａに貼着されると共に、連結貼付部９ｄが回路基板２に貼着されると、金属テープ９の貼付面積が大きくなって、金属テープ９の剥がれが防止される。
また、ここでは図示しないが、連結貼付部９ｄの位置を筺体１に貼着すると、一層、金属テープ９の剥がれが防止される。
【００４１】
また、金属テープ９の貼着の際、第１，第２の分離貼付部９ｂ、９ｃは、貼着を良好にするために引っ張られるが、この時、孔９ｅの存在によって、切り込み部９ａの先端部には引っ張り力がからず、孔９ｅが逃げとなり、切り込み部９ａの先端部が破けることがない。
【００４２】
また、図５は本発明の高周波機器の他の実施例を示し、この実施例を説明すると、シールド枠体１０は、金属板が打ち抜きと折り曲げ加工されて形成され、回路基板２に半田付けされた側壁１０ａと、この側壁１０ａに繋がって、上方を覆う上壁部１０ｂと、この上壁部１０ｂに設けられた孔部１０ｃと切り欠き部１０ｄを有する。
【００４３】
このシールド枠体１０は、シールドカバー５の近傍に設けられた電気回路をシールドするように、シールドカバー５の近傍に配置されている。
そして、図５では図示していないが、金属テープ９の第１，第２の分離貼付部９ｂ、９ｃは、前記実施例と同様に、シールドカバー５の側壁５ａ、上壁５ｂに貼り付けられているが、連結貼付部９ｄは、シールド枠体１０の孔部１０ｃと切り欠き部１０ｄを塞ぐように、上壁部１０ｂに貼り付けられると共に、筺体１の壁部１ａに貼り付けられている。
【００４４】
即ち、金属テープ９がシールド枠体１０の上壁部１０ｂに貼着されることによって、その貼着強度を大きくすると共に、孔部１０ｃや切り欠き部１０ｄを塞ぐことによって、孔部１０ｃや切り欠き部１０ｄからの電波の漏洩を少なくし、また、筺体１の壁部１ａに貼着されることによって、貼着強度を大きくし、且つ、壁部１ａとシールド枠体１０の間の上方への電波の漏洩を少なくしている。
【００４５】
その他の構成は、前記実施例と同様であるので、同一部品に同一番号を付し、ここではその説明を省略する。
【００４６】
なお、上記実施例では、シールドケース５がショートキャップで形成されたもので説明したが、アンプ回路やその他の電気回路をシールドするためのシールドカバーに適用しても良い。
【００４７】
また、上記実施例では、高周波機器が衛星放送受信用コンバータに適用されたもので説明したが、その他の高周波機器に適用しても良いこと勿論である。
【００４８】
【発明の効果】
本発明の高周波機器は、回路基板を取り付けた筺体と、この筺体内に位置し、回路基板に取り付けられた箱形のシールドカバーと、このシールドカバーに貼着された金属テープとを備え、金属テープは、切り込み部によって互いに分離可能となった第１，第２の分離貼付部と、この第１，第２の分離貼付部同士を繋ぐ連結貼付部と、切り込み部の先端部に設けられた孔とを有して、金属テープは、第１，第２の分離貼付部が連結貼付部に対して直立状態に折り曲げ可能となし、第１，第２の分離貼付部がシールドカバーの隣り合う側壁のそれぞれに貼着されると共に、連結貼付部が回路基板上、或いは、シールドカバーの近傍で、筺体内に配設されたシールド枠体の上面に貼着された構成とした。
このように、切り込み部の先端部に孔を設けることによって、切り込み部の先端部には引っ張り力がからず、孔が逃げとなり、切り込み部の先端部が破けることがなくなる。
【００４９】
また、第１，第２の分離貼付部は、孔の位置で折り曲げられたため、第１，第２の分離貼付部の折り曲げ位置に余裕幅を持たせることができて、切り込み部の先端部に破れのない貼付ができる。
【００５０】
また、孔が丸型、或いは楕円型で形成されたため、孔の周縁が円弧状をなして、引っ張り時の応力集中が少なく、切り込み部の先端部に破れのない貼付ができる。
【００５１】
また、連結貼付部と第１，第２の分離貼付部との間の折り曲げ部には、折り曲げを容易にするための折り曲げ誘導部を設けたため、所定の位置（折り曲げ誘導部の位置）で折り曲げが容易に行えて、精度の良い貼付ができる。
【００５２】
また、シールドカバーは、側壁の端部を塞ぐ上壁を有し、分離貼付部が上壁と側壁との間に位置する隙間、又は／及び側壁に存在する孔部を塞ぐようにしたため、シールカバーの隙間や孔部が確実にシールドできる。
【００５３】
また、連結貼付部がシールド枠体の上壁部に設けられた孔部、又は／及び切り欠き部を塞ぐように、上壁部に貼着されたため、貼着強度を大きくすると共に、孔部や切り欠き部を塞ぐことによって、孔部や切り欠き部からの電波の漏洩を少なくできる。
【００５４】
また、連結貼付部が筺体にわたって貼着されたため、貼着強度を大きくし、且つ、壁部とシールド枠体の間の上方への電波の漏洩を少なくできる。
【００５５】
また、シールドカバーは、衛星放送受信用コンバータのショートキャップで構成されたため、特に、電波の漏洩が性能に大きく影響される衛星放送受信用コンバータに適用して好適である。
【図面の簡単な説明】
【図１】本発明の高周波機器の要部の分解斜視図。
【図２】本発明の高周波機器の要部の断面図。
【図３】本発明の高周波機器に係る要部の斜視図。
【図４】本発明の高周波機器に係るシールドテープの平面図。
【図５】本発明の高周波機器の他の実施例に係り、一部を切り欠きした要部の斜視図。
【図６】従来の高周波機器の要部の分解斜視図。
【図７】従来の高周波機器に係る要部の斜視図。
【図８】従来の高周波機器に係るシールドテープの平面図。
【符号の説明】
１  筺体
１ａ  壁部
２  回路基板
３  接地パターン
４  導波管部
５  シールドカバー
５ａ  側壁
５ｂ  上壁
５ｃ  隙間
６  蓋体
７  シールドテープ
８  紙テープ
９  金属テープ
９ａ  切り込み部
９ｂ  第１の分離貼付部
９ｃ  第２の分離貼付部
９ｄ  連結貼付部
９ｅ  孔
Ａ１  折り曲げ線
Ａ２  折り曲げ線
１０  シールド枠体
１０ａ  側壁
１０ｂ  上壁部
１０ｃ  孔部
１０ｄ  切り欠き部
【図１】
2004247814.tif 000003
【図２】
2004247814.tif 000004
【図３】
2004247814.tif 000005
【図４】
2004247814.tif 000006
【図５】
2004247814.tif 000007
【図６】
2004247814.tif 000008
【図７】
2004247814.tif 000009
【図８】
2004247814.tif 000010